(57)【要約】【課題】複数の記録速度で信号をディスクに記録できる光ディスク装置及びその状態測定方法並びに状態測定位置設定方法に関し、高速、かつ、正確に光ディスクへの記録パワーを制御できる光ディスク装置及びその状態測定方法並びに状態測定位置設定方法を提供することを目的とする。【解決手段】本発明は、予め設定された複数の回転速度のうち所定の回転速度でディスク（２）を回転させ、記録速度を可変しつつ信号を記録する光ディスク装置（１）の状態測定方法において、所定の信号状態測定位置でディスク（２）の回転速度を低減したとき、低減した回転速度における信号の状態を、他の回転速度の同じ記録速度での既に測定された結果に基づいて推測し、推測された信号状態に基づいて低減した回転速度における記録パワーを制御することを特徴とする。【選択図】  図４
2004185675.tif 000002
【特許請求の範囲】
【請求項１】
予め設定された複数の回転速度のうち所定の回転速度でディスクを回転させ、記録速度を可変しつつ信号を記録する光ディスク装置において、
予め設定された状態測定位置で記録動作を停止して、信号の状態を測定する信号状態測定手段と、
前記信号状態測定部での測定結果に基づいて前記ディスクの回転速度を低減したとき、低減した回転速度における信号の状態を、他の回転速度の同じ記録速度での既に測定された結果に基づいて推測する信号状態推測手段と、
前記信号状態推測手段で推測された信号状態に基づいて前記低減した回転速度における記録パワーを制御する記録パワー制御手段とを有することを特徴とする光ディスク装置。
【請求項２】
前記信号状態推測手段は、上位の回転速度で測定された結果を用いることを特徴とする請求項１記載の光ディスク装置。
【請求項３】
前記信号状態測定部で、前記ディスクを所定の回転速度で記録を行うときに信号状態を測定する信号状態測定位置を、前記ディスクを所定の回転速度から低減したときの記録速度で記録が行われる位置に、予め設定したことを特徴とする請求項１又は２記載の光ディスク装置。
【請求項４】
予め設定された複数の回転速度のうち所定の回転速度でディスクを回転させ、記録速度を可変しつつ信号を記録する光ディスク装置の状態測定方法において、
所定の信号状態測定位置での測定結果に基づいて前記ディスクの回転速度を低減したとき、低減した回転速度における信号の状態を、他の回転速度の同じ記録速度での既に測定された結果に基づいて推測し、
推測された信号状態に基づいて前記低減した回転速度における記録パワーを制御することを特徴とする光ディスク装置の状態測定方法。
【請求項５】
上位の回転速度で測定された結果を用いることを特徴とする請求項４記載の光ディスク装置の状態測定方法。
【請求項６】
前記ディスクを所定の回転速度で記録を行うときに信号状態を測定する信号状態測定位置を、前記ディスクを所定の回転速度から低減したときの記録速度で記録が行われる位置に、予め設定したことを特徴とする請求項４又は５記載の光ディスク装置の状態測定方法。
【請求項７】
予め設定された複数の回転速度のうち所定の回転速度でディスクを回転させ、記録速度を可変しつつ信号を記録する光ディスク装置の状態測定位置設定方法であって、
前記ディスクの上位の回転速度での状態測定位置を、該状態測定位置で下位の回転速度に低減したときの記録速度と同じ記録速度となる位置に設定したことを特徴とする光ディスク装置の状態測定位置設定方法。
【請求項８】
前記ディスクの上位の回転速度で、上位の記録速度での状態測定位置を設定する手順と、
前記状態測定位置で前記ディスクの回転速度を低減させたときに、低減させた回転速度での記録速度と同じ記録速度となる位置を状態測定位置に設定する手順とを有することを特徴とする請求項７記載の光ディスクの状態測定位置設定方法。
【発明の詳細な説明】
【０００１】
【発明の属する技術分野】
本発明は光ディスク装置及びその状態測定方法並びに状態測定位置設定方法に係り、特に、複数の記録速度で信号をディスクに記録できる光ディスク装置及びその状態測定方法並びに状態測定位置設定方法に関する。
【０００２】
【従来の技術】
ＣＤ−Ｒ（ｃｏｍｐａｃｔ  ｄｉｓｋ−ｒｅｃｏｒｄａｂｌｅ）  やＣＤ−ＲＷ（ｃｏｍｐａｃｔ  ｄｉｓｋ−ｒｅｗｒｉｔａｂｌｅ）ディスクは、製造会社などによって、レーザの最適な記録パワーが異なる。このため、ＣＤ−Ｒ（ｃｏｍｐａｃｔ  ｄｉｓｋ−ｒｅｃｏｒｄａｂｌｅ）やＣＤ−ＲＷ（ｃｏｍｐａｃｔ  ｄｉｓｋ−ｒｅｗｒｉｔａｂｌｅ）ディスクに情報を記録するための光ディスク装置では、ディスクが装着され、記録指示があると、ＯＰＣ（ｏｐｔｉｍｕｍ  ｐｏｗｅｒ  ｃｏｎｔｒｏｌ）処理が実行される。ＯＰＣ処理は、最適な記録レーザパワーを測定するための処理であり、光ディスクの内周に設定されたＰＣＡ（ｐｏｗｅｒ  ｃａｌｉｂｒａｔｉｏｎ  ａｒｅａ）を用いて実施される。
【０００３】
ここで、ＯＰＣについて説明する。
【０００４】
ＯＰＣでは、まず、所定の記録速度でレーザの記録パワーを１５段階に変化させつつ、所定の信号をＰＣＡに記録にする。次に、ＰＣＡに記録された信号を再生し、再生信号のピーク値及びボトム値から１５種類のβ値を求める。
【０００５】
図１２はβ値の測定方法を説明するための図を示す。
【０００６】
β値は、図１２において信号のＳ１のピーク値をＡ１、ボトム値をＡ２とすると、下記の式（１）に基づいて求められる。
【０００７】
β＝（Ａ１＋Ａ２）／（Ａ１−Ａ２）          ・・・（１）
図１３は記録パワーとβ値との関係を示す図である。
【０００８】
図１３に示すようにβ値は、２次関数的に変化しており、最もβ値が小さくなる記録パワーｐｗ０が最適記録パワーとなる。
【０００９】
したがって、式（１）に基づいて求められた１５種類のβ値のうち最小のβ値得られる記録パワーを所定記録速度における最適記録パワーに設定する。
【００１０】
上記動作を各記録速度で行うことにより各記録速度における最適記録パワーを求める。求められた各記録速度毎の最適記録パワーは、マイコンのレジスタにセットされ、信号の記録時に使用される（例えば、特許文献１参照。）。
【００１１】
【特許文献１】
特開２００２−２９８３５６号公報（段落番号〔００１９〕−〔００１２〕、第２図）
【００１２】
【発明が解決しようとする課題】
従来の光ディスク装置では、上記ＯＰＣで設定された最適記録パワーに基づいて記録パワーが設定されており、光ディスクの半径位置などは考慮されていなかった。よって、正確に記録パワーを設定することができないなどの問題点があった。
【００１３】
本発明は上記の点に鑑みてなされたもので、高速、かつ、正確に光ディスクへの記録パワーを制御できる光ディスク装置及びその状態測定方法並びに状態測定位置設定方法を提供することを目的とする。
【００１４】
【課題を解決するための手段】
本発明は、予め設定された複数の回転速度のうち所定の回転速度でディスク（２）を回転させ、記録速度を可変しつつ信号を記録する光ディスク装置（１）の状態測定方法において、所定の信号状態測定位置でディスク（２）の回転速度を低減したとき、低減した回転速度における信号の状態を、他の回転速度の同じ記録速度での既に測定された結果に基づいて推測し、推測された信号状態に基づいて低減した回転速度における記録パワーを制御することを特徴とする。
【００１５】
本発明によれば、所定の信号状態測定位置でディスク（２）の回転速度を低減したとき、低減した回転速度における信号の状態を、他の回転速度の同じ記録速度での既に測定された結果に基づいて推測し、推測された信号状態に基づいて低減した回転速度における記録パワーを制御することにより、ディスク（２）の回転速度を低減したときに、信号状態を測定することなく、最適記録パワーで記録を行うことができる。
【００１６】
【発明の実施の形態】
図１は本発明の光ディスク装置の一実施例のブロック構成図を示す。
【００１７】
本実施例の光ディスク装置１は、例えば、ＣＤ−Ｒ、ＣＤ−ＲＷなどを記録及び／又は再生可能なドライブであり、ＣＡＶ（ｃｏｎｓｔａｎｔ  ａｎｇｌｅｒ  ｖｅｌｏｃｉｔｙ）方式で信号を記録する構成とされている。なお、最外周で各記録速度、例えば、４８倍速、４２倍速、３６倍速などの最大記録速度が得られるように設定されている。
【００１８】
その構成は、主に、ターンテーブル１１、スピンドルモータ１２、光ピックアップ１３、スレッドモータ１４、インタフェース１５、メモリ１６、メモリコントローラ１７、エンコーダ１８、レーザコントローラ１９、リードアンプ２０、デコーダ２１、サーボコントローラ２２、ドライバ２３、マイコン２４、ＷＰＣ位置テーブル２５を含む構成とされている。
【００１９】
ターンテーブル１１には、光ディスク２が装着される。ターンテーブル１１はスピンドルモータ１２により回転されて光ディスク２を例えば、矢印Ａ方向に回転させる。スピンドルモータ１２は、ドライバ２３からの駆動信号に応じて回転する。
【００２０】
光ピックアップ１３は、光ディスク２に対面するように配置され、対物レンズ３１により光ビームＬを収束させて光ディスク２に照射する。光ピックアップ１３には、対物レンズ３１を矢印Ｂ方向に揺動させてトラッキング制御を行うとともに、対物レンズ３１を矢印Ｃ方向に揺動させてフォーカス制御を行うための図示しないアクチュエータが内蔵されている。このアクチュエータはドライバ２３からの駆動信号によって駆動され、対物レンズ３１を矢印Ｂ、Ｃ方向に揺動させて、トラッキング及びフォーカス制御を行う。
【００２１】
ドライバ２３は、サーボコントローラ２２からの制御信号によりスピンドルモータ１２、スレッドモータ１４、上記トラッキング及びフォーカス制御を行うための図示しないアクチュエータに駆動信号を供給する。スレッドモータ１４は、光ピックアップ１３を光ディスク２の半径方向、すなわち、矢印Ｂ方向に移動させるためのモータである。
【００２２】
サーボコントローラ２２は、リードアンプ２０から供給されるトラッキングエラー信号及びフォーカスエラー信号に基づいてトラッキング及びフォーカス制御を行うためのアクチュエータ及びスレッドモータ１４を制御するための制御信号を生成し、ドライバ２３に供給する。また、サーボコントローラ２２は、マイコン２４からの指示に基づいてスピンドルモータ１２の回転を制御したり、アクチュエータ及びスレッドモータ１４を制御したりする。例えば、マイコン２４から指示された記録速度に応じてスピンドルモータ１２の回転速度を制御する。また、マイコン２４からの指示に基づいてフォーカス及びトラッキングアクチュエータをオフして、スレッドモータ１３を駆動して、シーク動作を実行する。
【００２３】
また、光ピックアップ１３には、図示しない光検出器が内蔵されている。光検出器は、フォーカスエラー信号及びトラッキングエラー信号並びに記録信号を検出し、リードアンプ２０に供給する。リードアンプ２０は、フォーカスエラー信号及びトラッキングエラー信号を増幅してサーボコントローラ２２に供給する。また、リードアンプ２０は、記録信号を増幅してデコーダ２１及びマイコン２４に供給する。
【００２４】
デコーダ２１は、リードアンプ２０からの記録信号をデコードする。デコーダ２１によりデコードされたデータは、メモリコントローラ１７によりメモリ１６に一旦記憶される。メモリ１６に記憶されたデータは、ホストコンピュータとのインタフェースをとるインタフェース１５を介してホストコンピュータに供給される。なお、メモリ１６は、ＲＡＭ（ｒａｎｄｏｍ  ａｃｃｅｓｓ  ｍｅｍｏｒｙ）から構成され、バッファメモリとして用いられる。メモリコントローラ１７は、インタフェース１５、メモリ１６、エンコーダ１８、デコーダ２１間における通信の制御を行う。
【００２５】
ホストコンピュータからの記録データは、インタフェース１５を介してメモリ１６に一旦記憶された後、エンコーダ１８に供給される。エンコーダ１８は、記録データをエンコードし、記録信号を生成する。エンコーダ１８でエンコードされた記録信号は、レーザコントローラ１９に供給される。レーザコントローラ１９は、光ピックアップ１３に内蔵された図示しない、レーザダイオードを駆動する。
【００２６】
レーザダイオードは、レーザコントローラ１９からの駆動信号に基づいて発光する。レーザダイオードから出射された光ビームは、対物レンズ３１により収束されて光ディスク２に照射される。
【００２７】
レーザコントローラ１９は、記録時には、エンコーダ１８からの記録信号に基づいて光ピックアップ１３に内蔵されたレーザダイオードを発光させる。レーザダイオードは、例えば、レーザコントローラ１９からの記録信号がハイレベルのときに光ビームの強度を強くし、記録信号がローレベルのときに光ビームの強度を弱くする。光ディスク２は、レーザダイオードからの光の強度が強いときに、ピットが形成される。以上の動作によって、光ディスク２に記録信号に応じたピットが形成される。なお、レーザコントローラ１９は、再生時には、光ディスク２に、ピットが形成されない強度の光を照射する。
【００２８】
このとき、レーザコントローラ１９は、マイコン２４からの指示に基づいてレーザダイオードから出射される光の強度を制御される。レーザコントローラ１９は、マイコン２４から光の強度を強くする指示があると、レーザダイオードに供給する駆動信号のレベルを大きくすることによって、レーザダイオードから出射される光に強度を強くする。また、レーザコントローラ１９は、マイコン２４から光の強度を弱くする指示があると、レーザダイオードに供給する駆動信号のレベルを小さくすることによって、レーザダイオードから出射される光の強度を弱くする。
【００２９】
ＷＰＣ位置テーブル２５には、記録速度毎にＷＰＣを実施する位置が記憶されている。
【００３０】
図２はＷＰＣ位置テーブル２５のデータ構成図を示す。
【００３１】
図２に示すようにＷＰＣ位置テーブル２５は、ＷＰＣ位置を絶対時間（ｍｉｎ）で表している。本実施例では、記録速度によらず、絶対時間で「０」、「５′３４″２２」、「１２′５２″１８」、「２２′２４″０１」、「３４′４９″１８」、「５１′０２″２７」、「７２′１５″１６」の位置でＷＰＣが実行されるように設定される。
【００３２】
図３、図４は、光ディスク２上での絶対時間に対する記録速度の変化を示す図、図５は、光ディスク２上での半径に対する記録速度の変化を示す図である。
【００３３】
図４、図５において「●」は、図２に示す絶対時間でＷＰＣ位置を行ったときのＷＰＣ位置を示している。
【００３４】
図３に示す位置で、信号状態の測定を行う。このとき、絶対時間「００′００″００」では、４８倍速の記録速度は２０．９倍となる。また、絶対時間「０５′３４″２２」では、４８倍速の記録速度が２３．９倍となり、また、４８倍速より１ステップ低減した記録速度である４２倍速では、その記録速度は２０．９倍となる。これは、４８倍速の絶対時間「００′００″００」での記録速度と同じである。
【００３５】
また、絶対時間「１２′５２″１８」では、４８倍速の記録速度は、２７．３倍となり、４２倍速の記録速度は２３．９倍となる。このとき、４２倍速の記録速度は、４８倍速の絶対時間「０５′３４″２２」での記録速度と同じである。
【００３６】
さらに、絶対時間「２２′２４″０１」では、４８倍速の記録速度は、３１．２倍となり、４２倍速の記録速度は２７．３倍となる。このとき、４２倍速の記録速度は、４８倍速の絶対時間「１２′５２″１８」での記録速度と同じである。
【００３７】
また、絶対時間「３４′４９″１８」では、４８倍速の記録速度は３５．６倍となり、４２倍速の記録速度は３１．２倍となる。４２倍速の記録速度は、４８倍速の絶対時間「２２′２４″０１」での記録速度と同じである。
【００３８】
さらに、絶対時間「５１′０２″２７」では、４８倍速の記録速度は４０．７倍となり、４２倍速の記録速度は３５．６倍となる。このとき、４２倍速の記録速度は、４８倍速の絶対時間「３４′４９″１８」での記録速度と同じである。
【００３９】
また、絶対時間「７２′１５″１６」では、４８倍速の記録速度は４６．５倍となり、４２倍速の記録速度は４０．７倍となる。このとき、４２倍速の記録速度は、４８倍速の絶対時間「５１′０２″２７」での記録速度と同じである。
【００４０】
したがって、上記絶対時間「００′００″００」、「０５′３４″２２」、「１２′５２″１８」、「２２′２４″０１」、「３４′４９″１８」、「５１′０２″２７」、「７２′１５″１６」をＷＰＣ位置とし、信号測定を行うことにより、例えば、絶対時間「０５′３４″２２」で信号状態を測定した結果、４８倍速から４２倍速に記録速度を低減したときに、記録速度は２０．９倍となる。このとき、４８倍速で絶対時間「０５′３４″２２」まで記録を行っていれば、既に絶対時間「００′００″００」において２０．９倍でＷＰＣが行われた状態である。したがって、４２倍速の絶対時間「０５′３４″２２」におけるＷＰＣ結果は、４８倍速の絶対時間「００′００″００」におけるＷＰＣの測定結果と略同等の測定結果であると推測される。よって、絶対時間「０５′３４″２２」で４８倍速から４２倍速に記録速度が低減された場合に、４８倍速の絶対時間「００′００″００」におけるＷＰＣ結果を代用することにより、新たにＷＰＣを行う必要はない。
【００４１】
同様に、絶対時間「１２′５２″１８」で記録速度が４８倍速から４２倍速に低減された場合には、４８倍速の絶対時間「０５′３４″２２」におけるＷＰＣ結果を代用することにより新たなＷＰＣが不要となる。また、絶対時間「２２′２４″０１」で記録速度が４８倍速から４２倍速に低減された場合には、４８倍速の絶対時間「１２′５２″１８」におけるＷＰＣ結果を代用することにより新たなＷＰＣが不要となる。さらに、絶対時間「３４′４９″１８」で記録速度が４８倍速から４２倍速に低減された場合には、４８倍速の絶対時間「２２′２４″０１」におけるＷＰＣ結果を代用することにより新たなＷＰＣが不要となる。
同様に、絶対時間「５１′０２″２７」で記録速度が４８倍速から４２倍速に低減された場合には、４８倍速の絶対時間「３４′４９″１８」におけるＷＰＣ結果を代用することにより新たなＷＰＣが不要となる。さらに、絶対時間「７２′１５″１６」で記録速度が４８倍速から４２倍速に低減された場合には、４８倍速の絶対時間「５１′０２″２７」におけるＷＰＣ結果を代用することにより新たなＷＰＣが不要となる。
【００４２】
すなわち、図４、図５に示すように記録速度４８倍速のＷＰＣ位置は、４８倍速のＷＰＣ位置で４２倍速に減速した場合、４２倍速での記録速度が４８倍のＷＰＣ位置での記録速度と一致するようにＷＰＣ位置が設定されている。
【００４３】
なお、説明を簡単にするために、４８倍速及び４２倍速を例に説明を行ったが、３６倍速以下の記録速度において同様の設定にすることにより、ＷＰＣにより記録速度を低減するときに、新たなＷＰＣを行う必要がなくなる。
【００４４】
次に、上記動作を実現するためのマイコン２４での記録動作について詳細に説明する。
【００４５】
図６はマイコン２４の記録動作時のフローチャートを示す。
【００４６】
マイコン２４は、ステップＳ１−１で光ディスク２が挿入され、ステップＳ１−２で挿入された光ディスク２への信号の記録が指示されると、ステップＳ１−３でＯＰＣ（ｏｐｔｉｍｕｍ  ｐｏｗｅｒ  ｃｏｎｔｒｏｌ）を実行する。ＯＰＣは、光ディスク２の内周側に設けられたＰＣＡ（ｐｏｗｅｒ  ｃａｌｉｂｒａｔｉｏｎ  ａｒｅａ）を用いて実行される。
【００４７】
ＯＰＣでは、従来と同様に、所定の記録速度で、ＰＣＡに記録パワーを１５段階に変化させつつ所定の信号を記録する。次に、ＰＣＡに記録した信号を生成して、そのピーク値及びボトム値から式（１）に従って各記録パワーにおけるβ値を求める。次に、ＯＰＣ処理では、求められた１５段階のβ値のうち最小のβ値が得られた記録パワーを最適記録パワーとしてマイコン２４に内蔵されたレジスタにセットする。上記処理を各記録速度で行い、各記録速度における最適記録パワーを求め、マイコン２４に内蔵されたレジスタにセットする。以上によりＯＰＣ処理は終了する。
【００４８】
次に、マイコン２４は、ステップＳ１−４で記録動作を開始する。このとき、マイコン２４は、ステップＳ１−３のＯＰＣで求められた最適記録パワーのうち記録速度に対応して設定された最適記録パワーにて記録動作を行う。マイコン２４は、ステップＳ１−５でＷＰＣ位置テーブル２５に予め設定されたＷＰＣ位置になると、ステップＳ１−６でＷＰＣ処理を行う。なお、このとき、マイコン２４は、光ディスク２に予め形成されているウォブルから抽出されるウォブル信号に含まれる絶対時間を検出し、ＷＰＣ位置テーブル２５に設定された絶対時間と比較することによりＷＰＣ位置であるか否かを判定している。
【００４９】
ＷＰＣ処理は、予め設定された位置で、β値を求め、最適記録パワーを求める処理である。ＷＰＣ処理は、例えば、ディスク２の内周と外周とでβ値の特性が異なるため、ＯＰＣで求められた最適記録パワーだけではディスク２の外周側で最適な記録が行えないため、予め設定された位置で最適記録パワーを補正するために行われる処理である。
【００５０】
マイコン２４は、ステップＳ１−７で記録終了指示があるまで、ステップＳ１−４〜Ｓ１−６を繰り返し、ステップＳ１−７で記録終了指示があると、ステップＳ１−８で記録動作を停止して処理を終了する。
【００５１】
次に、ＷＰＣ処理について詳細説明する。
【００５２】
図７はマイコン２４のＷＰＣ処理時のフローチャートを示す。
【００５３】
マイコン２４は、ＷＰＣ処理が開始されると、まず、ステップＳ２−１で記録動作を停止させる。次に、マイコン２４は、ステップＳ２−２で所定時間前の記録信号をシークする。
【００５４】
図８はＷＰＣ処理の動作説明図を示す。
【００５５】
図８において時刻ｔ１でＷＰＣ処理が開始され、記録動作が停止し、時刻ｔ１から動作待ち時間Δｔ１経過した時刻ｔ２で時間Δｔ３前の時刻ｔ３にシークし、既記録信号Ｓ１を読み出す。このとき、既記録信号Ｓ１は記録動作が停止した時刻ｔ１から時間Δｔ０より前の時刻ｔ０に記録された信号である。これによって、所定時間Ｔ＝（Δｔ０＋Δｔ１＋Δｔ２）経過した後の信号Ｓ１を読み出すことができる。なお、所定時間Ｔは４ｓｅｃ程度とすることにより、略すべての光ディスクに対応可能である。なお、所定時間Ｔは、４ｓｅｃに限定されるものではなく、特性、すなわち、β値が安定するのに必要な時間が経過しており、かつ、β値を取得できる時間が最小限にできるように設定する。
【００５６】
また、光ディスクのメーカーなどに応じて所定時間Ｔを切り換えるようにしてもよい。
【００５７】
マイコン２４は、ステップＳ２−３で所定時間Ｔより前に記録された信号Ｓ１のピーク値Ａ１及びボトム値Ａ２を取得し、β値を求める。所定時間Ｔより前の信号Ｓ１からβ値を取得することにより、特性、すなわち、β値が安定した後に特性、すなわち、β値を取得するため、正確なβ値を取得できる。このため、正確に適切な記録パワーを求めることができる。
【００５８】
このとき、記録時間Δｔ０、動作待ち時間Δｔ１及びシーク時間Δｔ２を必要最小限に設定することにより、短い時間でＷＰＣ処理を行うことができる。
【００５９】
図７に戻って説明を続ける
次にマイコン２４は、ステップＳ２−４でβ値が記録パワー制御の許容範囲である、制限範囲内か否かを判定する。
【００６０】
マイコン２４はステップＳ２−４でβ値が制限範囲内にある場合には、ステップＳ２−５でβ値が許容範囲か否かを判定する。
【００６１】
マイコン２４は、ステップＳ２−５でβ値が許容範囲内にあれば、記録パワーを変更することなくステップＳ２−６で記録動作を再開する。また、マイコン２４は、ステップＳ２−５でβ値が許容範囲外であれば、ステップＳ２−７で記録パワーをβ値が小さくなるように変更した後、ステップＳ２−６で記録動作を再開する。
【００６２】
また、マイコン２４は、ステップＳ２−４でβ値が制限範囲外である場合には、記録パワーの変更では対応できないので、ステップＳ２−８で記録速度低減処理を実行する。記録速度低減処理は、記録速度を１ステップ低減させる処理であり、例えば、２４倍速であれば、２０倍速にするなどの制御を行った後、ステップＳ２−２に戻って、低減した記録速度で、再び最適記録パワーを求める。
【００６３】
ここで、ステップＳ２−８の記録速度低減処理について詳細に説明する。
【００６４】
図９は記録速度低減処理の処理フローチャートを示す。
【００６５】
マイコン２４は、ステップＳ３−１で記録速度を１ステップ低減する。例えば、４８倍速であれば、４２倍速に、４２倍速であれば、３６倍速にする。
【００６６】
次にマイコン２４は、ステップＳ３−２で低減前の記録速度におけるＷＰＣ位置の前のＷＰＣ位置で設定された最適記録パワーを取得する。例えば、絶対時間「０５′３４″２２」で４８倍速から４２倍速に低減された場合には、４８倍速、絶対時間「００′００″００」でのＷＰＣの結果、取得された最適記録パワーを取得する。
【００６７】
次に、マイコン２４は、取得した最適記録パワーを低減した記録速度における現在位置の最適記録パワーに設定する。例えば、絶対時間「０５′３４″２２」で４８倍速から４２倍速に低減された場合には、４８倍速、絶対時間「００′００″００」でのＷＰＣの結果、取得された最適記録パワーを４２倍速、絶対時間「０５′３４″２２」での最適記録パワーに設定する。
【００６８】
次に、マイコン２４は、ステップＳ３−４で取得した最適記録パワーで記録動作を再開する。例えば、４２倍速、絶対時間「０５′３４″２２」からは、４８倍速、絶対時間「００′００″００」でのＷＰＣの結果、取得された最適記録パワーにより記録動作を再開する。
【００６９】
以上により、記録速度低減時のＷＰＣを省略できる。したがって、素早く記録動作に移行できる。また、移行時に同じ記録速度で記録された信号状態を測定した結果、取得された記録パワーで記録を行うことができるので、正確に記録を行える。
【００７０】
なお、本実施例では、ＷＰＣ処理において所定時間Ｔ以前に記録された信号を再生することによりβ値が安定した後にβ値を取得して記録パワーなどの制御を行ったが、所定時間待機した後に最新の信号を再生することによりβ値を取得するようにしてもよい。
【００７１】
図１０はマイコン２４のＷＰＣ処理の変形例のフローチャートを示す。同図中、図６と同一処理部分には同一符号を付し、その説明は省略する。
【００７２】
本実施例では、マイコン２４は、ステップＳ２−１で記録動作を停止した後、ステップＳ４−１でタイマを起動し、ステップＳ４−２で所定時間経過するまで待機する。マイコン２４は、ステップＳ４−２で所定時間経過した後、ステップＳ４−３で最新の記録信号をシークして、最新の記録信号のピーク値とボトム値を読み取り、ステップＳ２−３でβ値を測定する。
【００７３】
図１１はＷＰＣ処理の変形例の動作説明図を示す。
【００７４】
ポジションｐ０で記録動作が終了した後、時間Δｔ１１経過したポジションｐ１で最新の信号Ｓ１１のポジションｐ２をシークし、最新の信号Ｓ１１を読み取り、そのピーク値とボトム値とからβ値を測定する。
【００７５】
このとき、ポジションｐ１からポジションｐ２までにかかるシーク時間Δｔ１２を考慮して所定時間Δｔ１１を設定することにより、必要最小限の時間で信号を読み取ることができる。
【００７６】
なお、本実施例では、ＣＤ−Ｒ（ｃｏｍｐａｃｔ  ｄｉｓｋ−ｒｅｃｏｒｄａｂｌｅ）  やＣＤ−ＲＷ（ｃｏｍｐａｃｔ  ｄｉｓｋ−ｒｅｗｒｉｔａｂｌｅ）ディスクに信号を記録するための光ディスク装置につてい説明したが、ＤＶＤ−ＲＡＭ、ＭＯ（ｍａｇｎｅｔｏ  ｏｐｔｉｃａｌ）など記録可能な他の光ディスク装置に提供することは可能である。
【００７７】
また、本実施例の特性測定方法は、ＣＬＶ方式、ＣＡＶ方式、ゾーンＣＬＶ方式など記録方式に限定されずに適用できる。
【００７８】
【発明の効果】
上述の如く、本発明によれば、所定の信号状態測定位置でディスクの回転速度を低減したとき、低減した回転速度における信号の状態を、他の回転速度の同じ記録速度での既に測定された結果に基づいて推測し、推測された信号状態に基づいて低減した回転速度における記録パワーを制御することにより、ディスクの回転速度を低減したときに、信号状態を測定することなく、最適記録パワーで記録を行うことができ、よって、高速、かつ、正確に信号の記録を行うことができるなどの特長を有する。
【図面の簡単な説明】
【図１】本発明の光ディスク装置の一実施例のブロック構成図である。
【図２】ＷＰＣ位置テーブル２５のデータ構成図を示す。
【図３】光ディスク２上での絶対時間に対する記録速度の変化を示す図である。
【図４】光ディスク２上での絶対時間に対する記録速度の変化を示す図である。
【図５】光ディスク２上での半径に対する記録速度の変化を示す図である。
【図６】マイコン２４の記録動作時のフローチャートである。
【図７】マイコン２４のＷＰＣ処理時のフローチャートである。
【図８】ＷＰＣ処理の動作説明図である。
【図９】記録速度低減処理の処理フローチャートである。
【図１０】マイコン２４のＷＰＣ処理の変形例のフローチャートである。。
【図１１】ＷＰＣ処理の変形例の動作説明図である。
【図１２】βの測定動作を説明するための図である。
【図１３】記録パワーとβ値との関係を示す図である。
【符号の説明】
１  光ディスク装置、２  光ディスク
１１  ターンテーブル、１２  スピンドルモータ、１３  光ピックアップ
１４  スレッドモータ、１５  インタフェース、１６  メモリ
１７  メモリコントローラ、１８  エンコーダ、１９  レーザコントローラ
２０  リードアンプ、２１  デコーダ、２２  サーボコントローラ
２３  ドライバ、２４  マイコン、２５  ＷＰＣ位置テーブル
３１  対物レンズ
【図１】
2004185675.tif 000003
【図２】
2004185675.tif 000004
【図３】
2004185675.tif 000005
【図４】
2004185675.tif 000006
【図５】
2004185675.tif 000007
【図６】
2004185675.tif 000008
【図７】
2004185675.tif 000009
【図８】
2004185675.tif 000010
【図９】
2004185675.tif 000011
【図１０】
2004185675.tif 000012
【図１１】
2004185675.tif 000013
【図１２】
2004185675.tif 000014
【図１３】
2004185675.tif 000015